(57)【要約】【課題】回転体を円滑に回転させることができる回転装置を提供すること。【解決手段】回転装置は、鉛直方向に対して交差して延びる軸線Ｃ１を有する支持軸１０と、支持軸１０により回転可能に支持される回転体２０と、回転体２０に設けられ、軸線Ｃ１を中心に放射状に延びる複数の通路部３０と、通路部３０の内部において軸線Ｃ１に第１磁極（Ｓ極）を向けて収容されるとともに通路部３０の延在方向に往復動可能な第１磁石４１と、回転体２０の外周側に回転体２０と隣り合って設けられるとともに回転体２０の下死点から上死点に向かう第１磁石４１に対して回転体２０の内周側に向けて磁気反発力を付与する第２磁石４２とを備える。【選択図】図１
0003234991.tif 000002
【実用新案登録請求の範囲】
【請求項１】
鉛直方向に対して交差して延びる軸線を有する支持軸と、
前記支持軸により回転可能に支持される回転体と、
前記回転体に設けられ、前記軸線を中心に放射状に延びる複数の通路部と、
前記通路部の内部において前記軸線に第１磁極を向けて収容されるとともに前記通路部の延在方向に往復動可能な第１磁石と、
前記回転体の外周側に前記回転体と隣り合って設けられるとともに前記回転体の下死点から上死点に向かう前記第１磁石に対して前記回転体の内周側に向けて磁気反発力を付与する第２磁石と、を備える、
回転装置。
【請求項２】
前記通路部は、前記回転体の回転方向において対向する一対の側壁を有しており、
前記一対の側壁のうち前記回転体の下死点から上死点に向かう途中で鉛直方向の下側に位置する前記側壁は、当該途中で当該側壁の外周側の端が鉛直方向における前記軸線の位置にある状態で、内周側ほど下側に位置するように傾斜しており、
前記一対の側壁のうち前記回転体の上死点から下死点に向かう途中で鉛直方向の下側に位置する前記側壁は、当該途中で当該側壁の外周側の端が鉛直方向における前記軸線の位置にある状態で、外周側ほど下側に位置するように傾斜している、
請求項１に記載の回転装置。
【請求項３】
前記回転体の内周側に前記回転体と隣り合って設けられるとともに前記回転体の上死点から下死点に向かう前記第１磁石に対して前記回転体の外周側に向けて磁気反発力を付与する第３磁石を備える、
請求項１または請求項２に記載の回転装置。
【考案の詳細な説明】
【技術分野】
【０００１】
本考案は、回転装置に関する。
【背景技術】
【０００２】
従来、図３に示す回転装置が提案されている。
図３に示すように、この回転装置は、支持軸１０、回転体２０、複数の通路部３０、及び錘５０を備えている。支持軸１０は、鉛直方向に対して交差して延びる軸線Ｃ１を有している。回転体２０は、支持軸１０により回転可能に支持されている。複数の通路部３０は、回転体２０に設けられ、軸線Ｃ１を中心に放射状に延びている。錘５０は、通路部３０の内部に収容されるとともに通路部３０の延在方向に往復動可能に設けられている。
【０００３】
こうした回転装置によれば、回転体２０が回転すると、上死点から下死点に向かう通路部３０内の錘５０は、自重によって外周側に移動するようになる。このとき、外周側に移動する錘５０によって、回転体２０に対して回転方向の力のモーメントが付与される。これにより、回転体２０に対して回転力が付与されるようになる。
【考案の概要】
【考案が解決しようとする課題】
【０００４】
ところで、軸線Ｃ１よりも下方に位置する通路部３０においては、錘５０が自重によって通路部３０の外周側の端まで移動している。回転体２０が下死点から上死点に向かう際に、こうした錘５０が、回転体２０に対して回転方向とは反対方向の力のモーメントを作用させる。そのため、上記回転装置においては、回転体２０を円滑に回転させることが難しい。
【課題を解決するための手段】
【０００５】
上記課題を解決するための回転装置は、鉛直方向に対して交差して延びる軸線を有する支持軸と、前記支持軸により回転可能に支持される回転体と、前記回転体に設けられ、前記軸線を中心に放射状に延びる複数の通路部と、前記通路部の内部において前記軸線に第１磁極を向けて収容されるとともに前記通路部の延在方向に往復動可能な第１磁石と、前記回転体の外周側に前記回転体と隣り合って設けられるとともに前記回転体の下死点から上死点に向かう前記第１磁石に対して前記回転体の内周側に向けて磁気反発力を付与する第２磁石と、を備える。
【０００６】
同構成によれば、回転体の上死点の周辺に位置する通路部においては、当該通路部内の第１磁石は、自重によって落下することで通路部の内周側の端に位置している。回転体が回転すると、上死点から下死点に向かう通路部内の第１磁石は、自重によって外周側に移動するようになる。このとき、外周側に移動する第１磁石によって、回転体に対して回転方向の力のモーメントが付与される。一方、回転体が回転すると、下死点から上死点に向かう通路部内の第１磁石は、第２磁石から付与される磁気反発力によって内周側に移動するようになる。このため、こうした第２磁石が設けられていない場合に比べて、下死点から上死点に向かう通路部内の第１磁石から受ける回転体の回転方向とは反対方向の力のモーメントが小さくなる。したがって、回転体を円滑に回転させることができる。
【０００７】
上記回転装置において、前記通路部は、前記回転体の回転方向において対向する一対の側壁を有しており、前記一対の側壁のうち前記回転体の下死点から上死点に向かう途中で鉛直方向の下側に位置する前記側壁は、当該途中で当該側壁の外周側の端が鉛直方向における前記軸線の位置にある状態で、内周側ほど下側に位置するように傾斜しており、前記一対の側壁のうち前記回転体の上死点から下死点に向かう途中で鉛直方向の下側に位置する前記側壁は、当該途中で当該側壁の外周側の端が鉛直方向における前記軸線の位置にある状態で、外周側ほど下側に位置するように傾斜していることが好ましい。
【０００８】
同構成によれば、通路部が回転体の下死点から上死点に向かう途中で鉛直方向における軸線の位置を通過するとき、通路部内の第１磁石は、当該通路部を構成する一対の側壁のうち下側に位置する側壁を伝って自重によって内周側に移動するようになる。一方、通路部が回転体の上死点から下死点に向かう途中で鉛直方向における軸線の位置を通過するとき、通路部内の第１磁石は、当該通路部を構成する一対の側壁のうち下側に位置する側壁を伝って自重によって外周側に移動するようになる。したがって、回転体を一層円滑に回転させることができる。
【０００９】
上記回転装置において、前記回転体の内周側に前記回転体と隣り合って設けられるとともに前記回転体の上死点から下死点に向かう前記第１磁石に対して前記回転体の外周側に向けて磁気反発力を付与する第３磁石を備えることが好ましい。
【００１０】
同構成によれば、回転体が回転しているとき、上死点から下死点に向かう通路部内の第１磁石は、自重に加えて第３磁石から付与される磁気反発力によって外周側に移動するようになる。このため、こうした第３磁石が設けられていない場合に比べて、上死点から下死点に向かう通路部内の第１磁石から受ける回転体の回転方向の力のモーメントが大きくなる。したがって、回転体を一層円滑に回転させることができる。
【考案の効果】
【００１１】
本考案によれば、回転体を円滑に回転させることができる。
【図面の簡単な説明】
【００１２】
【図１】図１は、回転装置の一実施形態を示す正面図である。
【図２】図２は、変形例の回転装置を示す正面図である。
【図３】図３は、従来の回転装置を示す正面図である。
【考案を実施するための形態】
【００１３】
以下、図１を参照して、一実施形態について説明する。
図１に示すように、回転装置は、支持軸１０、回転体２０、複数の通路部３０、第１磁石４１、第２磁石４２を備えている。
【００１４】
支持軸１０は、鉛直方向に対して交差して延びる軸線Ｃ１を有している。本実施形態では、軸線Ｃ１は、鉛直方向に対して直交して延びている。
回転体２０は、支持軸１０により回転可能に支持されている。回転体２０は、例えば円板状である。回転体２０の中心には、支持軸１０が挿通される挿通孔２１が設けられている。
【００１５】
複数の通路部３０は、回転体２０に設けられ、軸線Ｃ１を中心に放射状に延びている。
通路部３０は、回転体２０の一方の端面２２に設けられている。なお、図１において、一部の通路部３０については断面を示している。
【００１６】
通路部３０は、回転体２０の回転方向（図１の反時計回り方向）において対向する一対の側壁３１，３２を有している。一対の側壁３１，３２は、端面２２から軸線Ｃ１に沿って突出している。通路部３０は、一対の側壁３１，３２の突端同士の間を閉塞する正面壁３３と、一対の側壁３１，３２の延在方向の両端を閉塞する端壁３４とを有している。
【００１７】
一対の側壁３１，３２のうち回転体２０の下死点から上死点に向かう途中で鉛直方向の下側に位置する側壁３１は、当該途中で当該側壁３１の外周側の端が鉛直方向における軸線Ｃ１の位置にある状態で、内周側ほど下側に位置するように傾斜している。
【００１８】
一対の側壁３１，３２のうち回転体２０の上死点から下死点に向かう途中で鉛直方向の下側に位置する側壁３２は、当該途中で当該側壁３２の外周側の端が鉛直方向における軸線Ｃ１の位置にある状態で、外周側ほど下側に位置するように傾斜している。
【００１９】
第１磁石４１は、通路部３０の内部において軸線Ｃ１に第１磁極（この場合、Ｓ極）を向けて収容されている。第１磁石４１は、通路部３０の延在方向に往復動可能に設けられている。
【００２０】
第２磁石４２は、回転体２０の外周側に回転体２０と隣り合って設けられている。第２磁石４２は、回転体２０の下死点から上死点に向かう第１磁石４１に対して回転体２０の内周側に向けて磁気反発力を付与する。
【００２１】
本実施形態では、軸線Ｃ１を中心とする周方向、すなわち回転体２０の回転方向において、複数の第２磁石４２が並んで設けられている。複数の第２磁石４２は、鉛直方向において軸線Ｃ１よりも下方に配置されている。
【００２２】
次に、本実施形態の作用について説明する。
図１に示すように、回転体２０の上死点の周辺に位置する通路部３０においては、当該通路部３０内の第１磁石４１が自重によって落下することで通路部３０の内周側の端に位置している。
【００２３】
回転体２０が回転すると、上死点から下死点に向かう通路部３０内の第１磁石４１は、自重によって外周側に移動するようになる。特に、通路部３０が回転体２０の下死点から上死点に向かう途中で鉛直方向における軸線Ｃ１の位置を通過するとき、通路部３０内の第１磁石４１は、下側に位置する側壁３１を伝って自重によって内周側に円滑に移動するようになる。このとき、外周側に移動する第１磁石４１によって、回転体２０に対して回転方向の力のモーメントが付与される。
【００２４】
一方、回転体２０が回転すると、下死点から上死点に向かう通路部３０内の第１磁石４１は、第２磁石４２から付与される磁気反発力によって内周側に移動するようになる。特に、通路部３０が回転体２０の上死点から下死点に向かう途中で鉛直方向における軸線Ｃ１の位置を通過するとき、通路部３０内の第１磁石４１は、下側に位置する側壁３２を伝って自重によって外周側に円滑に移動するようになる。このため、こうした第２磁石４２が設けられていない場合に比べて、下死点から上死点に向かう通路部３０内の第１磁石４１から受ける回転体２０の回転方向とは反対方向の力のモーメントが小さくなる。
【００２５】
次に、本実施形態の効果について説明する。
上記作用を奏することから、回転体２０を円滑に回転させることができる。
＜変形例＞
本実施形態は、以下のように変更して実施することができる。本実施形態及び以下の変更例は、技術的に矛盾しない範囲で互いに組み合わせて実施することができる。
【００２６】
・図２に示すように、回転体２０の内周側に回転体２０と隣り合って第３磁石４３を設けるようにしてもよい。第３磁石４３は、通路部３０に第１磁極（この場合、Ｓ極）を向けて配置されている。第３磁石４３は、回転体２０の上死点から下死点に向かう第１磁石４１に対して回転体２０の外周側に向けて磁気反発力を付与する。
【００２７】
こうした構成によれば、回転体２０が回転しているとき、上死点から下死点に向かう通路部３０内の第１磁石４１は、自重に加えて第３磁石４３から付与される磁気反発力によって外周側に一層移動するようになる。このため、こうした第３磁石４３が設けられていない場合に比べて、上死点から下死点に向かう通路部３０内の第１磁石４１から受ける回転体２０の回転方向の力のモーメントが大きくなる。したがって、回転体２０を一層円滑に回転させることができる。
【００２８】
・一対の側壁３１，３２が回転体２０の径方向に延在するものであってもよい。
【符号の説明】
【００２９】
１０…支持軸
２０…回転体
２１…挿通孔
２２…端面
３０…通路部
３１，３２…側壁
３３…正面壁
３４…端壁
４１…第１磁石
４２…第２磁石
４３…第３磁石
５０…錘
Ｃ１…軸線
【図１】
0003234991.tif 000003
【図２】
0003234991.tif 000004
【図３】
0003234991.tif 000005